(57)【要約】      （修正有）【課題】ベビーシートの方向の違いに応じて、日除け幌も同時に方向転換が可能なベビーカーの方向転換機構を提供する。【解決手段】ベビーカーの方向転換機構であって、バックレスト３はフレーム１先端側に向かい、サブバックレスト６を設置し、サブバックレスト６の底端は、フレーム１上のシート布とミシン縫い線６０により連接される。サブバックレスト６はミシン縫い線６０によりフレーム１の前側へと移動し方向転換がなされる。日除け幌５は前、後幌骨間の上方に後幌５３を固定して接続し、接続位置は後幌５３を折り返す軸線５３１を構成し、後幌５３は軸線５３１により折り返すことができる。後幌５３を折り返した後は嵌合接続部材５５、５６により、サブバックレスト６及び足載せ部４と嵌合して接続する。これにより、方向転換時に日除け幌５はそれに従い方向転換され、且つ足載せ部４の仰角を調整することで、サブバックレスト６の仰角を調整することができる。【選択図】図２
0003196997.tif 000002
【実用新案登録請求の範囲】
【請求項１】
ベビーカーの方向転換機構であって、フレーム、前記フレーム内に設置するシート部及びバックレスト、前記フレーム先端下方に設置する足載せ部、及び前記フレーム上方に設置し、且つ前、後幌骨に支えられる日除け幌を有し、
前記日除け幌は、前記前、後幌骨間の頂点面に後幌を固定して接続し、前記接続位置は、前記後幌を折り返す軸線を構成し、前記後幌の反対端は、下垂して底端を有し、前記後幌両側は、前記後幌骨位置に対応し、且つ前記後幌骨に沿って延長する方向にそれぞれ裂口を有し、前記裂口両側は、嵌合接続部材により結合し、
前記後幌を前方へと折り返した後、前記後幌と前記足載せ部、前記サブバックレストとを嵌合して固定することを特徴とするベビーカーの方向転換機構。
【請求項２】
ベビーカーの方向転換機構であって、フレーム、前記フレーム内に設置するシート部及びバックレスト、前記フレーム先端下方に設置する足載せ部、及び前記フレーム上方に設置し、且つ前、後幌骨に支えられる日除け幌を有し、
前記バックレストは、前記フレームの先端に向かう側に、サブバックレストを設置し、
前記サブバックレストは、布カバー内部に支持物を充填して構成し、前記サブバックレスト底端は、前記フレーム上に敷設するシート布と、ミシン縫い線により、ミシンで固定され、
これにより、前記サブバックレストは、前記ミシン縫い線により、前記フレームの前部へと偏移し、座る方向を改変することを特徴とするベビーカーの方向転換機構。
【請求項３】
ベビーカーの方向転換機構であって、フレーム、前記フレーム内に設置するシート部及びバックレスト、前記フレーム先端下方に設置する足載せ部、及び前記フレーム上方に設置し、且つ前、後幌骨に支えられる日除け幌を有し、
前記日除け幌は、前記前、後幌骨間の頂点面に後幌を固定して接続し、前記接続位置は、前記後幌を折り返す軸線を構成し、前記後幌の反対端は、下垂して底端を有し、前記後幌両側は、前記後幌骨位置に対応し、且つ前記後幌骨に沿って延長する方向にそれぞれ裂口を有し、前記裂口両側は、嵌合接続部材により結合し、
前記後幌を前方へと折り返した後、前記後幌と前記足載せ部、前記サブバックレストとを嵌合して固定し、
前記バックレストは、前記フレームの先端に向かう側に、サブバックレストを設置し、
前記サブバックレストは、布カバー内部に支持物を充填して構成し、前記サブバックレスト底端は、前記フレーム上に敷設するシート布と、ミシン縫い線により、ミシンで固定され、
これにより、前記サブバックレストは、前記ミシン縫い線により、前記フレームの前部へと偏移し、座る方向を改変し、
前記後幌は、赤ちゃんの座席が方向を改変後、別の嵌合接続部材により、前記サブバックレスト及び前記足載せ部と、それぞれ嵌合して接続されることを特徴とするベビーカーの方向転換機構。
【請求項４】
前記嵌合接続部材は、マジックテープ（登録商標）であることを特徴とする請求項１或いは３に記載のベビーカーの方向転換機構。
【請求項５】
前記足載せ部の仰角度は、多段階調整が可能で、
前記足載せ部の角度を調整することで、前記サブバックレストの傾斜角度を調整することを特徴とする請求項１或いは３に記載のベビーカーの方向転換機構。
【考案の詳細な説明】
【技術分野】
【０００１】
本考案はベビーカーの方向転換機構に関し、特にベビーシートの方向転換に従い、日除け幌の方向も同時に換えられるベビーカーの方向転換機構に関する。
【背景技術】
【０００２】
ベビーカーのバックレスト方向を換えれば、赤ちゃんの乗車方向を換えることができる。
これにより、必要に応じて、赤ちゃんを前向きにし、或いは後ろ向きにして押している人に対面させることができ、使用において弾力性がある。
【０００３】
しかし、従来のベビーカーにおいて、バックレストの方向転換は、乗車方向の変更しかできなかった。
つまり、ベビーカーの上面にある日除け機能を備える日除け幌の設置方向を、これに従い換えることはできない。
そのため、日除け機能が割り引かれてしまい、効果的な日除けを提供することができなかった。
【０００４】
前記の状況に対して、日除け幌の方向を換えることができる構造も開発された。
それは、日除け幌全体をフレームから取り外した後、方向を転換して取り付け、或いは幌布を支える骨格を前後に動かすことで方向転換し、或いはバックレストの方向転換後、別の日除け幌を取り付けるものである。
【０００５】
しかし、上記した従来の日除け幌の方向転換方法は、非常に時間がかかり不便である。
しかも、従来のベビーカーにおいて、方向転換後のバックレスト角度の調整は、分段片機構により完成されているが、分段片機構の設置により、コストが拡大してしまっている。
【考案の概要】
【考案が解決しようとする課題】
【０００６】
本考案はベビーシートの方向の違いに応じて、日除け幌も同時に方向転換が可能なベビーカーの方向転換機構に関する。
【課題を解決するための手段】
【０００７】
本考案によるベビーカーの方向転換機構は、フレーム、該フレーム内に設置するシート部及びバックレスト、該フレーム先端下方に設置する足載せ部、及び該フレーム上方に設置し、且つ前、後幌骨に支えられる日除け幌を有する。
【０００８】
該日除け幌は、該前、後幌骨間の頂点面に後幌を固定して接続し、及び両側位置には後幌を固定して接続し、該接続位置は、該後幌を折り返す軸線を構成し、該後幌の反対端は、下垂して底端を有し、該後幌両側は、該後幌骨位置に対応し、且つ該後幌骨に沿って延長する方向にそれぞれ裂口を有し、該裂口両側は、嵌合接続部材により結合する。
該後幌を前方へと折り返すと、該後幌と該足載せ部、該サブバックレストとを嵌合して固定する。
【０００９】
該バックレストは、該フレームの先端に向かう側に、サブバックレストを設置し、該サブバックレストは、布カバー内部に支持物を充填して構成し、底端は、該フレーム上に敷設するシート布と、ミシン縫い線により、ミシンで固定され、これにより、該サブバックレストは、該ミシン縫い線により、該フレームの前部へと偏移し、座る方向を改変する。
【００１０】
該後幌は、赤ちゃんの座席が方向を改変後、別の嵌合接続部材により、該サブバックレスト及び該足載せ部と、それぞれ嵌合して接続される。
【００１１】
該嵌合接続部材は、マジックテープ（登録商標）である。
【００１２】
該足載せ部の仰角度は、多段階調整が可能で、該足載せ部の角度を調整することで、該サブバックレストの傾斜角度を調整することができる。
【考案の効果】
【００１３】
本考案の日除け幌方向転換機能は、ベビーカーのフレームの状態を全く改変することなく、後幌の幌布と軸線を折り曲げ線とし、反対側へと折り返せば、日除け幌の方向転換を達成することができる。
本考案の操作は簡単且つ便利で、足載せ部の仰角を調整するだけで、サブバックレストの傾斜角度を調整することができる。
【図面の簡単な説明】
【００１４】
【図１】本考案の一実施形態によるベビーカーの方向転換機構のフレームの側視図である。
【図２】本考案の一実施形態によるベビーカーの方向転換機構に日除け幌を取り付けた様子を示す側視図である。
【図３】本考案の一実施形態によるベビーカーの方向転換機構の断面側視図である。
【図４】本考案の一実施形態によるベビーカーの方向転換機構の方向転換動作図（一）である。
【図５】本考案の一実施形態によるベビーカーの方向転換機構の方向転換動作図（二）である。
【図６】本考案の一実施形態によるベビーカーの方向転換機構の方向転換動作図（三）である。
【図７】本考案の一実施形態によるベビーカーの方向転換機構の方向転換動作図（四）である。
【図８】本考案の一実施形態によるベビーカーの方向転換機構の方向転換動作図（五）である。
【図９】本考案の一実施形態によるベビーカーの方向転換機構の方向転換動作図（六）である。
【図１０】本考案の一実施形態によるベビーカーの方向転換機構の方向転換動作図（七）である。
【図１１】本考案の一実施形態によるベビーカーの方向転換機構の方向転換動作図（八）である。
【図１２】本考案の一実施形態によるベビーカーの方向転換機構の方向転換動作図（九）である。
【図１３】本考案の一実施形態によるベビーカーの方向転換機構の方向転換動作図（十）である。
【図１４】本考案の一実施形態によるベビーカーの方向転換機構において方向転換を完成した様子を示す断面模式図である。
【図１５】本考案の一実施形態によるベビーカーの方向転換機構において方向転換を完成した様子を示す側視図である。
【考案を実施するための形態】
【００１５】
図１〜図３に示すとおり、本考案の一実施形態によるベビーカーの方向転換機構においてベビーカーは、フレーム１、フレーム１内に設置するシート部２及びバックレスト３、フレーム１先端下方に設置する足載せ部４、及びフレーム１上方に設置し、且つ前、後幌骨５１、５２に支えられる日除け幌５を有する。
【００１６】
バックレスト３は、フレーム１の前部に向かう側に、サブバックレスト６を設置する。
サブバックレスト６は、布カバー内部に支持物を充填して構成し、サブバックレスト６底端は、フレーム１上に敷設するシート布と、ミシン縫い線６０により、ミシンで固定される。
これにより、サブバックレスト６は、ミシン縫い線６０により、フレーム１の前部へと偏移し、座る方向を改変することができる。
【００１７】
足載せ部４の仰角度は、多段階調整が可能である。
【００１８】
日除け幌５は、前、後幌骨５１、５２の間を包んで覆い、前、後幌骨５１、５２前、後幌骨５１、５２間に位置する日除け幌５頂点面には、後幌５３を固定して接続する。
後幌５３と日除け幌５との接続位置には、軸線５３１を形成する。
後幌５３の反対端は、底端５３０で、下方へと下垂させ、底端５３０とサブバックレスト６頂点外側は、嵌合接続部材５５により接続される。
第一嵌合接続部材５５は、マジックテープ（登録商標）である。
後幌５３両側の、後幌骨５２に対応する位置で、且つ後幌骨５２に沿って延長する方向には、裂口５４をそれぞれ有する。
裂口５４両側は、第二嵌合接続部材５６（マジックテープ（登録商標）など）により、結合される。
【００１９】
図４〜図１３は、ベビーカーの座席方向転換操作の動作順序図である。
先ずは、後幌５３両側の裂口５４位置の第二嵌合接続部材５６及び後幌５３の下垂した底端５３０の第一嵌合接続部材５５を開ける（図４参照）。
その後、後幌骨５２を手で握り、後幌５３の底端５３０をつかみ、フレーム１上方へと上げる（図５、６参照）。
これにより、後幌５３及び後幌５３の底端５３０は、軸線５３１により、前方へとフレーム１前面へと上がる。
且つ、前、後幌骨５１、５２を、フレーム１前側へと移動させ、定位する。
その後、後幌５３両側の裂口５４の第二嵌合接続部材５６を嵌合する（図７〜図１０）。
【００２０】
サブバックレスト６を、ミシン縫い線６０によりフレーム１先端へと上げて移動させる（図１１〜図１３参照）。
足載せ部４を上方へと回転させ、サブバックレスト６を支える。
同時に、足載せ台４底面に設置する第三嵌合接続部材５７（マジックテープ（登録商標）など）を、サブバックレスト６の第一嵌合接続部材５５と嵌合して接続する。
並びに、後幌５３底端５３０と足載せ台４底端、サブバックレスト６とを嵌合して固定する。
これにより、サブバックレスト６、足載せ台４と底端５３０とを嵌合して固定し、後幌５３と足載せ部４とは、サブバックレスト６を持ち上げ及び引く。
こうして、ベビーカーの座席を交換後、赤ちゃんの背もたれ用とし（図１４、図１５）、本考案の方向転換動作を完成させる。
【００２１】
且つ、足載せ部４の仰角を調整することで、方向転換後のサブバックレスト６の傾斜角度を調整し、サブバックレスト６の傾斜角度を赤ちゃんの背もたれとして最も快適な角度に調整することができる。
【００２２】
本考案の日除け幌方向転換機能は、ベビーカーのフレームの状態を全く改変することなく、後幌の幌布を軸線を折り曲げ線とし、反対側へと持ち上げれば、日除け幌の方向転換を達成することができる。
フレームが方向転換機能を備えなければ目的を達成できなかった従来の構造における日除け幌とは異なり、本考案の操作は簡単且つ便利で、本考案の日除け幌は、市販されている基本的なタイプのベビーカーに組み合わせるだけで、その方向転換機能を達成できる。
【符号の説明】
【００２３】
１  フレーム
２  シート部
３  バックレスト
４  足載せ部
５１  前幌骨
５２  後幌骨
５  日除け幌
６  サブバックレスト
６０  ミシン縫い線
５３  後幌
５３０  底端
５３１  軸線
５５、５６、５７  嵌合接続部材
５４  裂口
【図１】
0003196997.tif 000003
【図２】
0003196997.tif 000004
【図３】
0003196997.tif 000005
【図４】
0003196997.tif 000006
【図５】
0003196997.tif 000007
【図６】
0003196997.tif 000008
【図７】
0003196997.tif 000009
【図８】
0003196997.tif 000010
【図９】
0003196997.tif 000011
【図１０】
0003196997.tif 000012
【図１１】
0003196997.tif 000013
【図１２】
0003196997.tif 000014
【図１３】
0003196997.tif 000015
【図１４】
0003196997.tif 000016
【図１５】
0003196997.tif 000017
【手続補正書】
【提出日】平成27年2月12日(2015.2.12)
【手続補正１】
【補正対象書類名】明細書
【補正対象項目名】全文
【補正方法】変更
【補正の内容】
【考案の詳細な説明】
【技術分野】
【０００１】
本考案はベビーカーの方向転換機構に関し、特にベビーシートの方向転換に従い、日除け幌の方向も同時に換えられるベビーカーの方向転換機構に関する。
【背景技術】
【０００２】
ベビーカーのバックレスト方向を換えれば、赤ちゃんの乗車方向を換えることができる。
これにより、必要に応じて、赤ちゃんを前向きにし、或いは後ろ向きにして押している人に対面させることができ、使用において弾力性がある。
【０００３】
しかし、従来のベビーカーにおいて、バックレストの方向転換は、乗車方向の変更しかできなかった。
つまり、ベビーカーの上面にある日除け機能を備える日除け幌の設置方向を、これに従い換えることはできない。
そのため、日除け機能が割り引かれてしまい、効果的な日除けを提供することができなかった。
【０００４】
前記の状況に対して、日除け幌の方向を換えることができる構造も開発された。
それは、日除け幌全体をフレームから取り外した後、方向を転換して取り付け、或いは幌布を支える骨格を前後に動かすことで方向転換し、或いはバックレストの方向転換後、別の日除け幌を取り付けるものである。
【０００５】
しかし、上記した従来の日除け幌の方向転換方法は、非常に時間がかかり不便である。
しかも、従来のベビーカーにおいて、方向転換後のバックレスト角度の調整は、分段片機構により完成されているが、分段片機構の設置により、コストが拡大してしまっている。
【考案の概要】
【考案が解決しようとする課題】
【０００６】
本考案はベビーシートの方向の違いに応じて、日除け幌も同時に方向転換が可能なベビーカーの方向転換機構に関する。
【課題を解決するための手段】
【０００７】
本考案によるベビーカーの方向転換機構は、フレーム、該フレーム内に設置するシート部及びバックレスト、該フレーム先端下方に設置する足載せ部、及び該フレーム上方に設置し、且つ前、後幌骨に支えられる日除け幌を有する。
【０００８】
該日除け幌は、該前、後幌骨間の頂点面に後幌を固定して接続し、及び両側位置には後幌を固定して接続し、該接続位置は、該後幌を折り返す軸線を構成し、該後幌の反対端は、下垂して底端を有し、該後幌両側は、該後幌骨位置に対応し、且つ該後幌骨に沿って延長する方向にそれぞれ裂口を有し、該裂口両側は、嵌合接続部材により結合する。
該後幌を前方へと折り返すと、該後幌と該足載せ部、該サブバックレストとを嵌合して固定する。
【０００９】
該バックレストは、該フレームの先端に向かう側に、サブバックレストを設置し、該サブバックレストは、布カバー内部に支持物を充填して構成し、底端は、該フレーム上に敷設するシート布と、ミシン縫い線により、ミシンで固定され、これにより、該サブバックレストは、該ミシン縫い線により、該フレームの前部へと偏移し、座る方向を改変する。
【００１０】
該後幌は、赤ちゃんの座席が方向を改変後、別の嵌合接続部材により、該サブバックレスト及び該足載せ部と、それぞれ嵌合して接続される。
【００１１】
該嵌合接続部材は、面ファスナーである。
【００１２】
該足載せ部の仰角度は、多段階調整が可能で、該足載せ部の角度を調整することで、該サブバックレストの傾斜角度を調整することができる。
【考案の効果】
【００１３】
本考案の日除け幌方向転換機能は、ベビーカーのフレームの状態を全く改変することなく、後幌の幌布と軸線を折り曲げ線とし、反対側へと折り返せば、日除け幌の方向転換を達成することができる。
本考案の操作は簡単且つ便利で、足載せ部の仰角を調整するだけで、サブバックレストの傾斜角度を調整することができる。
【図面の簡単な説明】
【００１４】
【図１】本考案の一実施形態によるベビーカーの方向転換機構のフレームの側視図である。
【図２】本考案の一実施形態によるベビーカーの方向転換機構に日除け幌を取り付けた様子を示す側視図である。
【図３】本考案の一実施形態によるベビーカーの方向転換機構の断面側視図である。
【図４】本考案の一実施形態によるベビーカーの方向転換機構の方向転換動作図（一）である。
【図５】本考案の一実施形態によるベビーカーの方向転換機構の方向転換動作図（二）である。
【図６】本考案の一実施形態によるベビーカーの方向転換機構の方向転換動作図（三）である。
【図７】本考案の一実施形態によるベビーカーの方向転換機構の方向転換動作図（四）である。
【図８】本考案の一実施形態によるベビーカーの方向転換機構の方向転換動作図（五）である。
【図９】本考案の一実施形態によるベビーカーの方向転換機構の方向転換動作図（六）である。
【図１０】本考案の一実施形態によるベビーカーの方向転換機構の方向転換動作図（七）である。
【図１１】本考案の一実施形態によるベビーカーの方向転換機構の方向転換動作図（八）である。
【図１２】本考案の一実施形態によるベビーカーの方向転換機構の方向転換動作図（九）である。
【図１３】本考案の一実施形態によるベビーカーの方向転換機構の方向転換動作図（十）である。
【図１４】本考案の一実施形態によるベビーカーの方向転換機構において方向転換を完成した様子を示す断面模式図である。
【図１５】本考案の一実施形態によるベビーカーの方向転換機構において方向転換を完成した様子を示す側視図である。
【考案を実施するための形態】
【００１５】
図１〜図３に示すとおり、本考案の一実施形態によるベビーカーの方向転換機構においてベビーカーは、フレーム１、フレーム１内に設置するシート部２及びバックレスト３、フレーム１先端下方に設置する足載せ部４、及びフレーム１上方に設置し、且つ前、後幌骨５１、５２に支えられる日除け幌５を有する。
【００１６】
バックレスト３は、フレーム１の前部に向かう側に、サブバックレスト６を設置する。
サブバックレスト６は、布カバー内部に支持物を充填して構成し、サブバックレスト６底端は、フレーム１上に敷設するシート布と、ミシン縫い線６０により、ミシンで固定される。
これにより、サブバックレスト６は、ミシン縫い線６０により、フレーム１の前部へと偏移し、座る方向を改変することができる。
【００１７】
足載せ部４の仰角度は、多段階調整が可能である。
【００１８】
日除け幌５は、前、後幌骨５１、５２の間を包んで覆い、前、後幌骨５１、５２前、後幌骨５１、５２間に位置する日除け幌５頂点面には、後幌５３を固定して接続する。
後幌５３と日除け幌５との接続位置には、軸線５３１を形成する。
後幌５３の反対端は、底端５３０で、下方へと下垂させ、底端５３０とサブバックレスト６頂点外側は、嵌合接続部材５５により接続される。
第一嵌合接続部材５５は、面ファスナーである。
後幌５３両側の、後幌骨５２に対応する位置で、且つ後幌骨５２に沿って延長する方向には、裂口５４をそれぞれ有する。
裂口５４両側は、第二嵌合接続部材５６（面ファスナーなど）により、結合される。
【００１９】
図４〜図１３は、ベビーカーの座席方向転換操作の動作順序図である。
先ずは、後幌５３両側の裂口５４位置の第二嵌合接続部材５６及び後幌５３の下垂した底端５３０の第一嵌合接続部材５５を開ける（図４参照）。
その後、後幌骨５２を手で握り、後幌５３の底端５３０をつかみ、フレーム１上方へと上げる（図５、６参照）。
これにより、後幌５３及び後幌５３の底端５３０は、軸線５３１により、前方へとフレーム１前面へと上がる。
且つ、前、後幌骨５１、５２を、フレーム１前側へと移動させ、定位する。
その後、後幌５３両側の裂口５４の第二嵌合接続部材５６を嵌合する（図７〜図１０）。
【００２０】
サブバックレスト６を、ミシン縫い線６０によりフレーム１先端へと上げて移動させる（図１１〜図１３参照）。
足載せ部４を上方へと回転させ、サブバックレスト６を支える。
同時に、足載せ台４底面に設置する第三嵌合接続部材５７（面ファスナーなど）を、サブバックレスト６の第一嵌合接続部材５５と嵌合して接続する。
並びに、後幌５３底端５３０と足載せ台４底端、サブバックレスト６とを嵌合して固定する。
これにより、サブバックレスト６、足載せ台４と底端５３０とを嵌合して固定し、後幌５３と足載せ部４とは、サブバックレスト６を持ち上げ及び引く。
こうして、ベビーカーの座席を交換後、赤ちゃんの背もたれ用とし（図１４、図１５）、本考案の方向転換動作を完成させる。
【００２１】
且つ、足載せ部４の仰角を調整することで、方向転換後のサブバックレスト６の傾斜角度を調整し、サブバックレスト６の傾斜角度を赤ちゃんの背もたれとして最も快適な角度に調整することができる。
【００２２】
本考案の日除け幌方向転換機能は、ベビーカーのフレームの状態を全く改変することなく、後幌の幌布を軸線を折り曲げ線とし、反対側へと持ち上げれば、日除け幌の方向転換を達成することができる。
フレームが方向転換機能を備えなければ目的を達成できなかった従来の構造における日除け幌とは異なり、本考案の操作は簡単且つ便利で、本考案の日除け幌は、市販されている基本的なタイプのベビーカーに組み合わせるだけで、その方向転換機能を達成できる。
【符号の説明】
【００２３】
１  フレーム
２  シート部
３  バックレスト
４  足載せ部
５１  前幌骨
５２  後幌骨
５  日除け幌
６  サブバックレスト
６０  ミシン縫い線
５３  後幌
５３０  底端
５３１  軸線
５５、５６、５７  嵌合接続部材
５４  裂口
【手続補正２】
【補正対象書類名】実用新案登録請求の範囲
【補正対象項目名】全文
【補正方法】変更
【補正の内容】
【実用新案登録請求の範囲】
【請求項１】
ベビーカーの方向転換機構であって、フレーム、前記フレーム内に設置するシート部及びバックレスト、前記フレーム先端下方に設置する足載せ部、及び前記フレーム上方に設置し、且つ前、後幌骨に支えられる日除け幌を有し、
前記日除け幌は、前記前、後幌骨間の頂点面に後幌を固定して接続し、前記接続位置は、前記後幌を折り返す軸線を構成し、前記後幌の反対端は、下垂して底端を有し、前記後幌両側は、前記後幌骨位置に対応し、且つ前記後幌骨に沿って延長する方向にそれぞれ裂口を有し、前記裂口両側は、嵌合接続部材により結合し、
前記後幌を前方へと折り返した後、前記後幌と前記足載せ部、前記サブバックレストとを嵌合して固定することを特徴とするベビーカーの方向転換機構。
【請求項２】
ベビーカーの方向転換機構であって、フレーム、前記フレーム内に設置するシート部及びバックレスト、前記フレーム先端下方に設置する足載せ部、及び前記フレーム上方に設置し、且つ前、後幌骨に支えられる日除け幌を有し、
前記バックレストは、前記フレームの先端に向かう側に、サブバックレストを設置し、
前記サブバックレストは、布カバー内部に支持物を充填して構成し、前記サブバックレスト底端は、前記フレーム上に敷設するシート布と、ミシン縫い線により、ミシンで固定され、
これにより、前記サブバックレストは、前記ミシン縫い線により、前記フレームの前部へと偏移し、座る方向を改変することを特徴とするベビーカーの方向転換機構。
【請求項３】
ベビーカーの方向転換機構であって、フレーム、前記フレーム内に設置するシート部及びバックレスト、前記フレーム先端下方に設置する足載せ部、及び前記フレーム上方に設置し、且つ前、後幌骨に支えられる日除け幌を有し、
前記日除け幌は、前記前、後幌骨間の頂点面に後幌を固定して接続し、前記接続位置は、前記後幌を折り返す軸線を構成し、前記後幌の反対端は、下垂して底端を有し、前記後幌両側は、前記後幌骨位置に対応し、且つ前記後幌骨に沿って延長する方向にそれぞれ裂口を有し、前記裂口両側は、嵌合接続部材により結合し、
前記後幌を前方へと折り返した後、前記後幌と前記足載せ部、前記サブバックレストとを嵌合して固定し、
前記バックレストは、前記フレームの先端に向かう側に、サブバックレストを設置し、
前記サブバックレストは、布カバー内部に支持物を充填して構成し、前記サブバックレスト底端は、前記フレーム上に敷設するシート布と、ミシン縫い線により、ミシンで固定され、
これにより、前記サブバックレストは、前記ミシン縫い線により、前記フレームの前部へと偏移し、座る方向を改変し、
前記後幌は、赤ちゃんの座席が方向を改変後、別の嵌合接続部材により、前記サブバックレスト及び前記足載せ部と、それぞれ嵌合して接続されることを特徴とするベビーカーの方向転換機構。
【請求項４】
前記嵌合接続部材は、面ファスナーであることを特徴とする請求項１或いは３に記載のベビーカーの方向転換機構。
【請求項５】
前記足載せ部の仰角度は、多段階調整が可能で、
前記足載せ部の角度を調整することで、前記サブバックレストの傾斜角度を調整することを特徴とする請求項１或いは３に記載のベビーカーの方向転換機構。